(57)【要約】【課題】色純度が高いと同時に、極めて明るいカラー表示を行うことができ、かつ所望の色調を得ることができる液晶表示装置用カラーフィルタを提供する。【解決手段】画素毎に、バックライト部からの光が透過する透過部Ｔと外光の反射光が透過する反射部Ｒ１，Ｒ２とを備えた液晶表示装置用カラーフィルタであって、透過部Ｔがイエロー色（Ｙ）、マゼンタ色（Ｍ）及びシアン色（Ｃ）の群から選択される２つの色の組み合わせのフィルタ層２０，２２が積層された構造を有し、反射部が２つの色と同一の色の組み合わせのフィルタ層２０，２２がそれぞれ形成された構造を有し、反射部Ｒ１，Ｒ２において、２つの色の組み合わせのフィルタ層の一方の色のフィルタ層２０及び他方の色のフィルタ層２２は、それぞれ反射部の複数の異なる領域に分割されて配置されていることを含む。【選択図】  図９
2004151299.tif 000002
【特許請求の範囲】
【請求項１】
画素毎に、バックライト部からの光が透過する透過部と外光の反射光が透過する反射部とを備えたカラーフィルタであって、
前記透過部が、イエロー色（Ｙ）、マゼンタ色（Ｍ）及びシアン色（Ｃ）の群から選択される２つの色の組み合わせのフィルタ層が積層された構造を有すると共に、前記反射部が、前記２つの色と同一の色の組み合わせのフィルタ層がそれぞれ形成された構造を有し、
前記反射部において、前記２つの色の組み合わせのフィルタ層の一方の色のフィルタ層及び他方の色のフィルタ層は、それぞれ前記反射部の複数の異なる領域に分割されて配置されていることを特徴とするカラーフィルタ。
【請求項２】
前記反射部は、第１反射部と第２反射部とにより構成されており、
前記一方の色のフィルタ層は、前記透過部全体から前記第１反射部の上側所定部と前記第２反射部の下側所定部とに延在することにより前記第１及び第２反射部に分割されて配置されていると共に、
前記他方の色のフィルタ層は、前記透過部全体から前記第１反射部の下側所定部と前記第２反射部の上側所定部とに延在することにより、前記第１及び第２反射部に分割されて配置されていることを特徴とする請求項１に記載のカラーフィルタ。
【請求項３】
前記反射部は、第１反射部と第２反射部とにより構成されており、
前記２つの色の組み合わせのフィルタ層における前記一方の色のフィルタ層は、前記透過部と前記第１反射部の外側所定部と第２反射部の外側所定部とにストライプ状に配置されて前記第１及び第２反射部に分割されて配置されると共に、
他方の色のフィルタ層は、前記透過部と前記第１反射部の内側所定部と第２反射部の内側所定部とを被覆する領域に帯状に配置されて前記第１及び第２反射部に分割されて配置されていることを特徴とする請求項１に記載のカラーフィルタ。
【請求項４】
前記一方の色のフィルタ層又は前記他方の色のフィルタ層が位置ずれして形成される場合であっても、前記分割配置された一方の色のフィルタ層の単層部分のトータル面積及び前記分割配置された他方の色のフィルタ層の単層部分のトータル面積がそれぞれ位置ずれしない場合と同一になるようにしたことを特徴とする請求項２又は３に記載のカラーフィルタ。
【請求項５】
前記カラーフィルタは、イエロー色（Ｙ）とマゼンタ色（Ｍ）との組み合わせの２つのフィルタ層から構成される赤色（Ｒ）画素部と、イエロー色（Ｙ）とシアン色（Ｃ）との組み合わせの２つのフィルタ層から構成される緑色（Ｇ）画素部と、シアン色（Ｃ）とマゼンタ色（Ｍ）との組み合わせの２つのフィルタ層から構成される青色（Ｂ）画素部とを有し、
前記赤色（Ｒ）画素部、緑色（Ｇ）画素部及び青色（Ｂ）画素部全体にわたって、前記第１及び第２反射部の単位で分割される隣接する領域の色がお互いに異なるようにして前記フィルタ層が配置されていることを特徴とする請求項２又は３に記載のカラーフィルタ。
【請求項６】
請求項１乃至５のいずれか一項に記載のカラーフィルタを備えた液晶表示装置。
【請求項７】
第１の透明電極と請求項１乃至５のいずれか一項に記載のカラーフィルタとを備えた第１の電極基材と、
前記第１の電極基材の前記第１の透明電極側の面に所定間隔をもって貼り合わされて配置され、前記第１の電極基材側に第２の透明電極を備えた第２の電極基材と、
前記第１の電極基材及び前記第２の電極基材の間に挟持された液晶層とを有することを特徴とする液晶表示装置。
【請求項８】
前記第１の電極基材が、
前記カラーフィルタの下に、前記透過部に対応する部分が開口された金属膜を含む反射層を備えたことを特徴とする請求項７に記載の液晶表示装置。
【請求項９】
前記第２の電極基材が、
前記第２の透明電極の下に、前記透過部に対応する部分が開口された金属膜を含む反射層を備えたことを特徴とする請求項７に記載の液晶表示装置。
【請求項１０】
前記第１の電極基材及び第２の電極基材のうちの少なくとも一方が、プラスチックフィルム上に、接着層を介して、前記反射層、前記カラーフィルタ及び前記透明電極うちの少なくとも１つが転写により形成されたものであることを特徴とする請求項７〜９のいずれか一項に記載の液晶表示装置。
【発明の詳細な説明】
【０００１】
【発明の属する技術分野】
本発明はカラーフィルタ及び液晶表示装置に係わり、更に詳しくは、反射透過両用型の液晶表示装置用のカラーフィルタ及び液晶表示装置に関する。
【０００２】
【従来の技術】
近年、低消費電力、低電圧動作、軽量、薄型及びカラー表示などを特徴とする液晶表示装置は、情報機器などへ急速にその用途を拡大している。
【０００３】
液晶表示装置は、自ら発光する自発光型の表示装置ではないため、光を供給して表示を行う必要があり、この光の供給方法によって、透過型と反射型とに分類される。透過型の液晶表示装置では、液晶表示装置の背後に蛍光管などのバックライトを配置して、そこから入射される光に基づいて表示を行う。また、反射型の液晶表示装置では、外光が反射層によって反射した光に基づいて表示を行う。
【０００４】
透過型の液晶表示装置においては、バックライトを用いて表示を行うため、明るく、コントラストが高い表示を行うことができる反面、消費電力が大きいという欠点がある。また、反射型の液晶表示装置においては、バックライトを使用しないため、消費電力を極めて小さくすることができる反面、周囲の明るさなどの使用環境に表示特性が大きく影響するという欠点がある。
【０００５】
そこで、反射と透過との両方の機能を合わせもった反射透過両用型の液晶表示装置（以下、半透過型の液晶表示装置ともいう）が開発されている。この半透過型の液晶表示装置は、画素毎に、外光の反射光が透過する反射部とバックライトからの光が透過する透過部とが形成された構造を有している。
【０００６】
例えば、使用環境が真っ暗の場合には、透過部を利用してバックライトからの透過光を利用して表示を行う。また、使用環境が薄暗い場合には、透過部及び反射部を両方用いて、バックライトからの透過光と外光の反射光とを両方利用して表示を行う。更には、外光が十分明るい場合には、外光の反射光を利用して表示を行う。このように、半透過型の液晶表示装置では、反射型、透過型及び反射透過型のうちのいずれかの表示方法を用いて液晶画像を表示することができる。
【０００７】
カラー表示タイプの半透過型の液晶表示装置においては、赤色（Ｒ）画素部、緑色（Ｇ）画素部及び青色（Ｂ）画素部の３つの画素部（サブピクセル）で表示単位であるピクセルを構成する。このため、カラー表示タイプの半透過型の液晶表示装置には、赤色（Ｒ）画素部、緑色（Ｇ）画素部及び青色（Ｂ）画素部にそれぞれ対応する位置に赤色（Ｒ）フィルタ層、緑色（Ｇ）フィルタ層及び青色（Ｂ）フィルタ層を有するカラーフィルタが設けられている。
【０００８】
従来の半透過型の液晶表示装置用のカラーフィルタでは、各色の画素部においては同一色（Ｒ、Ｇ又はＢ）のフィルタ層からなり、このフィルタ層は透過部及び反射部により構成される。そして、カラーフィルタの透過部ではバックライトの光が透過し、また、カラーフィルタの反射部では外光の反射光が透過することに基づいてカラー表示を行う。
【０００９】
このような従来の半透過型の液晶表示装置用のカラーフィルタでは、反射部では外光が入射する時と反射して出射する時の２回透過し、また、透過部ではバックライトからの光の透過が１回であることから、透過光で表示を行うと明るくなる反面、色純度が大きく低下するという不具合が発生する。
【００１０】
また、半透過型の液晶表示装置は、主に、携帯用などの小型・軽量の液晶表示装置として用いられるため、バックライトとして青色ＬＥＤを白色化したものが使用される場合がある。この場合、カラー表示を行うと青みが強い表示となるため、色調を変えることで、青みが強いカラー表示を補正することができるカラーフィルタが切望されている。
【００１１】
このような観点から、反射部のカラーフィルタ部の一部分にカラーフィルタが形成されていない部分を設けることにより、反射部での色を薄くして、その反面、明るさを向上させる方法がある（例えば、特許文献１参照）。
【００１２】
また、反射部のカラーフィルタ部に対応する部分に透明層を設けてその上に着色層を形成することで、反射部の着色層の膜厚を透過部の着色層の膜厚より薄くすることにより、反射部の明るさを向上させる方法がある（例えば、特許文献２参照）。
【００１３】
さらには、透過部及び反射部の両者において優れた明度、彩度が得られるように、透過部にはシアン色、マゼンタ色、イエロー色のうちの２つの色のフィルタが積層されて形成され、また反射部にはその２つの色のフィルタが単層で形成された構造として、赤色、緑色、青色の各画素部をそれぞれ構成するようにしたカラーフィルタがある（例えば、特許文献３参照）。
【００１４】
【特許文献１】
特開２０００−１１１９０２号公報
【特許文献２】
特開２００１−１６６２８９号公報
【特許文献３】
特開２００２−２５８０２９号公報
【００１５】
【発明が解決しようとする課題】
しかしながら、上記した特許文献１及び２のカラーフィルタでは、いずれも反射部での色の濃度を下げて明るさを向上させることができるという効果はあるものの、カラーフィルタの色調を変えることは困難である。
【００１６】
上記した特許文献３のカラーフィルタでは、ストライプ状の２つの色のフィルタ層の一端部同士を重ねて配置することにより、透過部では２つの色のフィルタ層が積層され、かつ反射部ではこの２つの色のフィルタ層がそれぞれ単層で形成された構造を形成している。このため、例えば、上側フィルタ層を下側フィルタ層の端部に積層して形成する際に反射部側に位置ずれして形成される場合、反射部にも２つの色のフィルタ層が積層された部分が形成されてしまうことになる。
【００１７】
つまり、反射部においては、一方の色のフィルタ層が単層で形成された部分の面積が減少することで、２つの色のフィルタ層の面積比がずれてしまうことになる。反射部では２つの色のフィルタ層の面積比に基づいて色調が決定されるため、２つの色のフィルタ層が単層で形成された部分の面積比がずれると所望の色調を得ることが困難になる。
【００１８】
本発明は、上記した問題点を鑑みて創作されたものであり、半透過型液晶表示装置のカラーフィルタにおいて、透過部及び反射部が共に色純度が高いと同時に、極めて明るいカラー表示を行うことができ、かつ各フィルタ層が位置ずれして形成された場合においても反射部で所望の色調を得ることができるカラーフィルタ及び液晶表示装置を提供することを目的とする。
【００１９】
【課題を解決するための手段】
上記した課題を解決するため、本発明はカラーフィルタに係り、画素毎に、バックライト部からの光が透過する透過部と外光の反射光が透過する反射部とを備えたカラーフィルタであって、前記透過部が、イエロー色（Ｙ）、マゼンタ色（Ｍ）及びシアン色（Ｃ）の群から選択される２つの色の組み合わせのフィルタ層が積層された構造を有すると共に、前記反射部が、前記２つの色と同一の色の組み合わせのフィルタ層がそれぞれ単層で形成された構造を有し、前記反射部において、前記２つの色の組み合わせのフィルタ層の一方の色のフィルタ層及び他方の色のフィルタ層は、それぞれ前記反射部の複数の異なる領域に分割されて配置されていることを特徴とする。
【００２０】
本発明によれば、カラーフィルタの一つの画素部（赤色（Ｒ）画素部、緑色（Ｇ）画素部又は青色（Ｂ）画素部）の透過部においては、３補色（イエロー色（Ｙ），マゼンタ色（Ｍ），シアン色（Ｃ））のうちの２つの色の組み合わせのフィルタ層が積層されて形成されており、バックライト部からの光がこの積層フィルタを透過すると、２つの色の減色混合により３原色（赤色（Ｒ），緑色（Ｇ），青色（Ｂ））のうちのいずれかの色になる。
【００２１】
一方、カラーフィルタの反射部においては、透過部に積層された２つの色のフィルタ層と同一色の組み合わせのフィルタ層がそれぞれ単層で形成されている。そして、外光の反射光がこの単層で形成された２つの色のフィルタ層をそれぞれ透過して２つの色の光を放出し、それらの色が加色混合されて、３原色（赤色（Ｒ），緑色（Ｇ），青色（Ｂ））のうちの一色（透過部と略同一色）となるのものである。
【００２２】
このようにすることにより、カラーフィルタの一つの画素部において、透過部ではバックライト部からの光が透過して色純度が高く、明るい色が得られると同時に、反射部においても、外光の反射光が薄膜の２つの異なる色の単層フィルタ層をそれぞれ透過し、この２つの色が加色混合されて極めて明るい色が得られるようになる。
【００２３】
また、反射部に形成された２つの異なる色の単層フィルタ層の面積比を適宜変えることにより、色調を容易に変化させることができる。このことにより、透過部及び反射部のホワイトバランスをそれぞれ異なるものとすることができる。
【００２４】
これに加えて、本発明では、反射部において２つの色の組み合わせのフィルタ層の一方の色のフィルタ層及び他方の色のフィルタ層は、それぞれ反射部の複数の異なる領域に分割されて配置されている。
【００２５】
本発明の一つの好適な態様では、前記反射部は、第１反射部と第２反射部とにより構成されており、前記一方の色のフィルタ層は、前記透過部全体から前記第１反射部の上側所定部と前記第２反射部の下側所定部とに延在することにより前記第１及び第２反射部に分割されて配置されていると共に、前記他方の色のフィルタ層は、前記透過部全体から前記第１反射部の下側所定部と前記第２反射部の上側所定部とに延在することにより前記第１及び第２反射部に分割されて配置されている。
【００２６】
本発明のカラーフィルタの反射部においては、その色調が２つの色のフィルタ層が単層で形成された部分の面積比に依存するので、所望の色調を得るためには２つの色のフィルタ層をそれらの面積比が所定値になるようにして形成する必要がある。
【００２７】
この好適な態様を図２に示される赤色（Ｒ）画素部を例示して説明すると、反射部は、透過部Ｔを挟む第１反射部Ｒ１と第２反射部Ｒ２とにより構成されており、マゼンタ色（Ｍ）フィルタ層２２（一方の色のフィルタ層）は透過部Ｔ全体から第１反射部Ｒ１の上側所定部と第２反射部Ｒ２の下側所定部とに延在することにより第１及び第２反射部に分割されて配置されている。そして、イエロー色（Ｙ）フィルタ層２０（他方の色のフィルタ層）は透過部Ｔ全体から第１反射部Ｒ１の下側所定部と第２反射部Ｒ２の上側所定部とに延在することにより第１及び第２反射部に分割されて配置されている。
【００２８】
本発明のカラーフィルタでは、例えば上記したような構成とすることにより、一方の色のフィルタ層がいかなる方向に位置ずれして形成されたとしても、第１、第２反射部における他方の色のフィルタ層が単層で分割形成された部分のトータルの面積が変化しないようにしている。さらに、第１、第２反射部における一方の色のフィルタ層が単層で分割形成されている部分のトータルの面積も変化しない。
【００２９】
従って、第１、第２反射部内において、カラーフィルタ形成時に位置ずれが発生したとしても、一方の色のフィルタ層が単層で形成された部分のトータル面積と他方の色のフィルタ層が単層で形成された部分のトータル面積との面積比を所望値とすることができる。これにより、カラーフィルタの反射部において所望の色調が安定して得られるようになる。
【００３０】
なお、上記した図番、符号は本発明の理解を容易にするために引用されたものであって、本発明を限定するものではない。
【００３１】
【発明の実施の形態】
以下、本発明の実施の形態について、添付の図面を参照しながら説明する。
【００３２】
本発明の実施形態を説明する前に、従来技術に係るカラーフィルタの問題点について説明する。図１５（ａ）は従来技術に係るカラーフィルタにおいて位置ずれしないで形成される場合のＲ画素部を示す図、図１５（ｂ）は従来技術に係るカラーフィルタにおいてマゼンタ色（Ｍ）フィルタ層が位置ずれして形成される場合のＲ画素部を示す部分図である。なお、図１５（ａ）及び（ｂ）の右側の図は、左側の断面図をそれぞれ上側からみた平面図である。
【００３３】
図１５（ａ）に示すように、従来技術に係るカラーフィルタのＲ画素部では、イエロー色（Ｙ）フィルタ層２０及びマゼンタ色（Ｍ）フィルタ層２２がストライプ状に形成されている。そして、透過部Ｔではこれらのフィルタ層２０，２２が積層され、かつ第１反射部Ｒ１及び第２反射部Ｒ２ではイエロー色（Ｙ）フィルタ層２０及びマゼンタ色（Ｍ）フィルタ層２２がそれぞれ単層で形成されている。また、マゼンタ色（Ｍ）フィルタ層２２の端部が隣接するＧ画素部のイエロー色（Ｙ）フィルタ層２０ａの端部にオーバーラップして形成されている。
【００３４】
透過部Ｔでは、バックライトから放出される透過光がＹ・Ｍ積層フィルタを透過して減色混合により赤色となって放出される。また、第１、第２反射部では反射層で反射された外光がイエロー色（Ｙ）フィルタ層２０及びマゼンタ色（Ｍ）フィルタ層２２をそれぞれ透過してイエロー色及びマゼンタ色の反射光が放出される。そして、このイエロー色とマゼンタ色とが加色混色されて赤色として視認することができる。このようにして、透過部Ｔと第１、第２反射部Ｒ１，Ｒ２とにより構成されるＲ画素部全体を赤色として視認することができる。
【００３５】
このように配置されるフィルタ層を、フォトリソグラフィ法を使用して染料を含む塗布膜を露光・現像して形成する際に、例えばマゼンタ色（Ｍ）フィルタ層２２が位置ずれして形成される場合を想定してみる。
【００３６】
図１５（ｂ）に示す例では、マゼンタ色（Ｍ）フィルタ層２２がイエロー色（Ｙ）フィルタ層２０側（左側）に位置ずれして形成されている。この場合、Ｒ画素部では第１反射部Ｒ１の領域の一部にＹ・Ｍ積層フィルタ２１（図１５（ｂ）の斜線部）が延在して形成されることから、Ｒ画素部の第１反射部Ｒ１においてはイエロー色（Ｙ）フィルタ層２０が単層で形成されている面積が減少する。
【００３７】
このため、第１、第２反射部Ｒ１、Ｒ２におけるイエロー色（Ｙ）フィルタ層２０とマゼンタ色（Ｍ）フィルタ層２２とが単層で形成されている部分の面積比（Ｙ：Ｍ）が設計値からずれてしまうので、反射部において所望の色調が得られなくなることがある。
【００３８】
上記した例では、マゼンタ色（Ｍ）フィルタ層２２が位置ずれする場合を例示したが、イエロー色（Ｙ）フィルタ層２０がマゼンタ色（Ｍ）フィルタ層２２側に位置ずれしても同様である。また、同様な原理に基づいて形成されるＧ画素部、Ｂ画素部においても各色のフィルタ層が同様に位置ずれして形成される場合がある。
【００３９】
このため、各色の画素部の第１、第２反射部Ｒ１，Ｒ２において、各フィルタ層が単層で形成された部分の面積比がずれて所望の色調が得られなくなることがある。
【００４０】
さらに、各色のフィルタ層が異なった方向に位置ずれしている部分が一つの液晶表示装置の画面に対応するカラーフィルタとなる場合には、液晶表示装置の画面の位置によって液晶画像の色調が異なってしまうことになり、液晶表示装置の表示特性が劣化してしまう場合がある。
【００４１】
また、図１５（ａ）に示すカラーフィルタのように反射部Ｒ１全体に一方の色のフィルタ層を単層で形成し、かつ第２反射部Ｒ２全体に他方の色のフィルタ層を単層で形成して反射部とする場合、液晶表示装置の反射光で得られる液晶画像がボケた感じになることがある。
【００４２】
以下に説明する本発明の実施形態のカラーフィルタは、このような課題を解決することができる。
【００４３】
（第１の実施の形態）
図１（ａ）は本発明の第１実施形態に係るカラーフィルタにおけるＲ画素部のイエロー色（Ｙ）フィルタ層の配置を示す部分平面図、図１（ｂ）は同じくＲ画素部のマゼンタ色（Ｍ）フィルタ層の配置を示す部分平面図、図２は本発明の第１実施形態のカラーフィルタにおけるＲ画素部を示す部分平面図である。
【００４４】
図１（ａ）に示すように、第１実施形態のカラーフィルタのＲ画素部を例示すると、透明電極１６に対応する所定領域にＲ画素部が設けられていて、Ｒ画素部の中央部に細長い透過部Ｔが設けられ、また透過部Ｔを挟んで第１反射部Ｒ１，第２反射部Ｒ２がそれぞれ設けられている。Ｒ画素部のイエロー色（Ｙ）フィルタ層２０は、透過部Ｔ全体を被覆すると共に、透過部Ｔから第１反射部Ｒ１の上側所定部を除く下側所定部に延在し、かつ透過部Ｔから第２反射部Ｒ２の下側所定部を除く上側所定部に延在して配置されている。
【００４５】
また、図１（ｂ）に示すように、Ｒ画素部のマゼンタ色（Ｍ）フィルタ層２２は、イエロー色（Ｙ）フィルタ層２０とは逆に、細長い透過部Ｔ全体を被覆すると共に、透過部Ｔから第１反射部Ｒ１の下側所定部を除く上側所定部に延在し、かつ透過部Ｔから第２反射部Ｒ２の上側所定部を除く下側所定部に延在して配置されている。
【００４６】
そして、図２に示すように、図１（ａ）のイエロー色（Ｙ）フィルタ層２０の上に透過部Ｔに対して対称になるようにして図１（ｂ）のマゼンタ色（Ｍ）フィルタ層２２が配置されてカラーフィルタのＲ画素部が構成される。このようにして、イエロー色（Ｙ）フィルタ層２０及びマゼンタ色（Ｍ）フィルタ層２２の単層部分は、透過部Ｔの中心点に対して点対称な第１、第２反射部Ｒ１、Ｒ２の領域にそれぞれ分割された状態で配置されている。
【００４７】
なお、イエロー色（Ｙ）フィルタ層２０及びマゼンタ色（Ｍ）フィルタ層２２は、フォトリソグラフィ法で形成される際に左右に位置ずれしてもその端部がＲ画素部の透明電極１６の内側に配置されないように、水平方向のＲ画素部の領域から露光装置の最大位置ずれ寸法より大きな寸法ではみ出して配置されている。また、これらのフィルタ層２０，２２は、同様に、上下に位置ずれしても垂直方向のＲ画素部に不形成部が生じないように、垂直方向のＲ画素部の領域から最大位置ずれ寸法より大きな寸法ではみ出して配置されている。
【００４８】
このようにして、透過部Ｔには、イエロー色（Ｙ）フィルタ層２０とマゼンタ色（Ｍ）フィルタ層２２とが積層されたＹ・Ｍ積層フィルタ２１が形成されていて、バックライトから放出される透過光はＹ・Ｍ積層フィルタ２１を透過して減色混合により赤色となって放出される。また、第１反射部Ｒ１の下側所定部及び第２反射部Ｒ２の上側所定部にはイエロー色（Ｙ）フィルタ層２０がそれぞれ単層で２つに分割されて形成されていて、反射層で反射された外光がイエロー色（Ｙ）フィルタ層２０を透過してイエロー色の反射光が放出される。
【００４９】
また、第１反射部Ｒ１の上側所定部及び第２反射部Ｒ２の下側所定部には、マゼンタ色（Ｍ）フィルタ層２２がそれぞれ単層で２つに分割されて形成されていて、反射層で反射された外光がマゼンタ色（Ｍ）フィルタ層２２を透過してマゼンタ色の反射光が放出される。
【００５０】
第１、第２反射部Ｒ１，Ｒ１の所定部から放出されるイエロー色及びマゼンタ色の反射光を離れた位置から見ると、イエロー色とマゼンタ色とが加色混色されて赤色として視認することができる。
【００５１】
このようにして、透過部Ｔと第１、第２反射部Ｒ１，Ｒ２とにより構成されるＲ画素部全体を赤色として視認することができる。
【００５２】
次に、上記した構造を有するＲ画素部の例えばマゼンタ色（Ｍ）フィルタ層２２が、フォトリソグラフィ法により形成される際に位置ずれして形成される場合について説明する。
【００５３】
まず、マゼンタ色（Ｍ）フィルタ層２２が左側に位置ずれして形成される場合を例示して説明する。図３は図２に示すＲ画素部のマゼンタ色（Ｍ）フィルタ層が左側に位置ずれして形成された様子を示す部分平面図である。
【００５４】
図３に示すように、マゼンタ色（Ｍ）フィルタ層２２が左側に位置ずれして形成される場合（ずれ寸法：ｘ１）、第１反射部Ｒ１のイエロー色（Ｙ）フィルタ層２０の単層部分の面積Ｓ１（斜線部）は、左側に位置ずれしたことに基づいて位置ずれしない場合より減少することになる。
【００５５】
しかしながら、第２反射部Ｒ２のイエロー色（Ｙ）フィルタ層２０の単層部分の面積Ｓ２（斜線部）は左側に位置ずれした分だけ逆に増加する。従って、イエロー色（Ｙ）フィルタ層２０の単層部分のトータル面積（面積Ｓ１＋面積Ｓ２）は、位置ずれしない場合と同一となる。
【００５６】
また、マゼンタ色（Ｍ）フィルタ層２２はＲ画素部の領域から露光装置の最大位置ずれ寸法より大きな寸法ではみ出して形成されているので、左側に位置ずれしたとしても透明電極１６の内側にマゼンタ色（Ｍ）フィルタ層２２の端部が配置されることはない。
【００５７】
従って、マゼンタ色（Ｍ）フィルタ層２２の単層部分のトータル面積（面積Ｓ３＋面積Ｓ４）は、左側に位置ずれが起こったとしても位置ずれしない場合と同一である。
【００５８】
次に、マゼンタ色（Ｍ）フィルタ層２２が上側に位置ずれして形成された場合を例示して説明する。図４は図２に示すＲ画素部のマゼンタ色（Ｍ）フィルタ層が上側に位置ずれして形成された様子を示す部分平面図である。図４に示すように、マゼンタ色（Ｍ）フィルタ層２２が上側に位置ずれして形成される場合（ずれ寸法：ｘ２）、第２反射部Ｒ２のイエロー色（Ｙ）フィルタ層２０の単層部分の面積Ｓ２（斜線部）は、上側に位置ずれしたことに基づいて位置ずれしない場合より減少することになる。
【００５９】
しかしながら、第１反射部Ｒ１のイエロー色（Ｙ）フィルタ層２０の単層部分の面積Ｓ１（斜線部）は位置ずれしない場合より上側に位置ずれした分だけ逆に増加する。従って、イエロー色（Ｙ）フィルタ層２０の単層部分のトータル面積（面積Ｓ１＋面積Ｓ２）は位置ずれしない場合と同一となる。
【００６０】
また、マゼンタ色（Ｍ）フィルタ層２２においては、上記したように、垂直方向のＲ画素部の領域から露光装置の最大位置ずれ寸法より大きな寸法ではみ出して形成されているので、上側に位置ずれしてもマゼンタ色（Ｍ）フィルタ層２２が単層で形成されている部分のトータル面積（面積Ｓ３＋面積Ｓ４）は変化しない。
【００６１】
なお、マゼンタ色（Ｍ）フィルタ層が左側又は上側に位置ずれして形成される場合を例示して説明したが、斜め上側、斜め下側などのいかなる方向に位置ずれした場合も同様である。また、イエロー色（Ｙ）フィルタ層２０が位置ずれした場合、及びイエロー色（Ｙ）フィルタ層２０とマゼンタ色（Ｍ）フィルタ層とが両方位置ずれした場合も同様である。
【００６２】
このように、本実施形態のカラーフィルタでは、例えばＲ画素部のマゼンタ色（Ｍ）フィルタ層２２がいかなる方向に位置ずれして形成されたとしても、第１、第２反射部Ｒ１、Ｒ２内のイエロー色（Ｙ）フィルタ層２０が単層で分割形成された部分のトータルの面積が変化しないようにしている。さらに、第１、第２反射部Ｒ１、Ｒ２内のマゼンタ色（Ｍ）フィルタ層２２が単層で分割形成されている部分のトータルの面積も変化しない。
【００６３】
従って、第１、第２反射部Ｒ１、Ｒ２内において、カラーフィルタの形成時に位置ずれが発生したとしても、イエロー色（Ｙ）フィルタ層２０が単層で形成されているトータル面積とマゼンタ色（Ｍ）フィルタ層２２が単層で形成されているトータル面積との面積比（Ｙ：Ｍ）を所定値とすることができるので、カラーフィルタの反射部において所望の色調が安定して得られるようになる。
【００６４】
また、１つの液晶表示装置の画面においてその位置によって液晶画像の色調が異なるといった不具合も解消される。
【００６５】
次に、本実施形態のカラーフィルタのＲ、Ｂ、Ｇ画素部から構成される１つのピクセル全体について説明する。図５は本発明の第１実施形態のカラーフィルタに係るイエロー色（Ｙ）フィルタ層のパターンを示す部分平面図、図６は同じくマゼンタ色（Ｍ）フィルタ層のパターンを示す部分平面図、図７は同じくイエロー色（Ｙ）フィルタ層とマゼンタ色（Ｍ）フィルタ層とが形成された様子を示す部分平面図、図８は同じくシアン色（Ｃ）フィルタ層のパターンを示す部分平面図、図９は本発明の第１実施形態のカラーフィルタを示す部分平面図である。
【００６６】
まず、カラーフィルタのＲ画素部及びＧ画素部になる領域に、図５に示すようなパターンのイエロー色（Ｙ）フィルタ層２０（斜線部）が形成される。
【００６７】
このイエロー色（Ｙ）フィルタ層２０はＲ画素部及びＧ画素部に同一のパターンが繋がって形成されたパターンであり、Ｒ、Ｇ画素部の透過部Ｔ全体をそれぞれ被覆すると共に、Ｒ、Ｇ画素部の第１反射部Ｒ１の下側所定部及び第２反射部Ｒ２の上側所定部をそれぞれ被覆する。
【００６８】
次いで、イエロー色（Ｙ）フィルタ層２０上に、図６に示すようなパターンのマゼンタ色（Ｍ）フィルタ層２２（斜線部）が形成される。このマゼンタ色（Ｍ）フィルタ層２２は、Ｒ画素部では、透過部Ｔ全体を被覆すると共に、第１反射部Ｒ１の上側所定部及び第２反射部Ｒ２の下側所定部を被覆する。また、Ｂ画素部では、Ｒ画素部のパターンと対称になるよう配置されていて、透過部Ｔ全体を被覆すると共に、第１反射部Ｒ１の下側所定部及び第２反射部Ｒ２の上側所定部を被覆する。
【００６９】
これにより、図７に示すように、Ｒ画素部では、イエロー色（Ｙ）フィルタ層２０上にマゼンタ色（Ｍ）フィルタ層２２（斜線部）が形成されて、前述した図２に示されるカラーフィルタのＲ画素部と同一のものが形成される。これと同時に、Ｂ画素部にもマゼンタ色（Ｍ）フィルタ層２２（斜線部）が形成される。
【００７０】
続いて、図７に示されるイエロー色（Ｙ）フィルタ層２０及びマゼンタ色（Ｍ）フィルタ層２２の上に、図８に示すようなパターンのシアン色（Ｃ）フィルタ層２４（斜線部）が形成される。このシアン色（Ｃ）フィルタ層２４はＧ画素部及びＢ画素部に同一のパターンが繋がって形成されたものであり、Ｇ、Ｂ画素部のそれぞれの透過部Ｔ全体を被覆すると共に、Ｇ、Ｂ画素部のそれぞれの第１反射部Ｒ１の上側所定部及び第２反射部Ｒ２の下側所定部を被覆する。
【００７１】
これにより、図９に示すように、Ｇ画素部のイエロー色（Ｙ）フィルタ層２０及びＢ画素部のマゼンタ色（Ｍ）フィルタ層２２上にシアン色（Ｃ）フィルタ層２４が形成される。以上により、第１実施形態のカラーフィルタ２５が得られる。
【００７２】
図９に示すように、本実施形態のカラーフィルタ２５のＲ画素部は、前述した図２で説明したように、透過部ＴにＹ．Ｍ積層フィルタ２１が形成され、第１反射部Ｒ１の上側所定部及び第２反射部Ｒ２の下側所定部にはマゼンタ色（Ｍ）フィルタ層２２が分割された状態でそれぞれ単層で形成されている。また、第１反射部Ｒ１の下側所定部及び第２反射部Ｒ２の上側所定部にはイエロー色（Ｙ）フィルタ層２０が分割された状態でそれぞれ単層で形成されている。そして、前述したような原理によりＲ画素部全体を赤色（Ｒ）として視認することができる。
【００７３】
また、同じく図９に示すように、Ｇ画素部では、透過部ＴにＹ．Ｃ積層フィルタ２３が形成され、第１反射部Ｒ１の上側所定部及び第２反射部Ｒ２の下側所定部にはシアン色（Ｃ）フィルタ層２４が分割された状態でそれぞれ単層で形成されている。また、第１反射部Ｒ１の下側所定部及び第２反射部Ｒ２の上側所定部にはイエロー色（Ｙ）フィルタ層２０が分割された状態でそれぞれ単層で形成されている。
【００７４】
このようにして構成されるＧ画素部では、バックライトから放出される透過光はＹ・Ｃ積層フィルタ２３を透過して減色混合により緑色となって放出される。また、第１反射部Ｒ１の下側所定部及び第２反射部Ｒ２の上側所定部にはイエロー色（Ｙ）フィルタ層２０がそれぞれ単層で２つに分割されて形成されていて、反射層で反射された外光がイエロー色（Ｙ）フィルタ層２０を透過してイエロー色の反射光が放出される。
【００７５】
また、第１反射部Ｒ１の上側所定部及び第２反射部Ｒ２の下側所定部には、シアン色（Ｃ）フィルタ層２４がそれぞれ単層で２つに分割されて形成されていて、反射層で反射された外光がシアン色（Ｃ）フィルタ層２４を透過してシアン色の反射光が放出される。
【００７６】
第１、第２反射部Ｒ１，Ｒ１の所定部から放出されるイエロー色及びシアン色の反射光を離れた位置から見ると、イエロー色とシアン色とが加色混色されて緑色として視認することができる。このようにして、Ｇ画素部全体を緑色（Ｇ）として視認することができる。
【００７７】
また、同じく図９に示すように、Ｂ画素部では、透過部ＴにＭ・Ｃ積層フィルタ２９が形成され、第１反射部Ｒ１の上側所定部及び第２反射部Ｒ２の下側所定部にはシアン色（Ｃ）フィルタ層２４が分割された状態でそれぞれ単層で形成されている。また、第１反射部Ｒ１の下側所定部及び第２反射部Ｒ２の上側所定部にはマゼンタ色（Ｍ）フィルタ層２２が分割された状態でそれぞれ単層で形成されている。
【００７８】
このようにして構成されるＢ画素部では、バックライトから放出される透過光がＭ・Ｃ積層フィルタ２９を透過して減色混合により青色となって放出される。また、第１反射部Ｒ１の下側所定部及び第２反射部Ｒ２の上側所定部にはマゼンタ色（Ｍ）フィルタ層２２がそれぞれ単層で２つに分割されて形成されていて、反射層で反射された外光がマゼンタ色（Ｍ）フィルタ層２２を透過してマゼンタ色の反射光が放出される。
【００７９】
また、第１反射部Ｒ１の上側所定部及び第２反射部Ｒ２の下側所定部には、シアン色（Ｃ）フィルタ層２４がそれぞれ単層で２つに分割されて形成されていて、反射層で反射された外光がシアン色（Ｃ）フィルタ層２４を透過してシアン色の反射光が放出される。
【００８０】
第１、第２反射部Ｒ１，Ｒ１の所定部から放出されるマゼンタ色及びシアン色の反射光を離れた位置から見ると、マゼンタ色とシアン色とが加色混色されて青色として視認することができる。このようにして、Ｂ画素部全体を青色（Ｂ）として視認することができる。
【００８１】
本実施形態のカラーフィルタ２５では、前述したように、点対称の関係にある屈曲パターンからなる２つの色のフィルタ層を重ねて各画素部の透過部Ｔ及び第１、第２反射部Ｒ１、Ｒ２を形成するようにしている。このため、上側のフィルタ層が位置ずれして形成される場合でも、第１、第２反射部Ｒ１，Ｒ２の２つの領域に単層で分割形成される下側のフィルタ層は一方の面積が減少すると他方の面積がその分増加するようにしているので、そのトータル面積は位置ずれしない場合と同一になる。
【００８２】
従って、上側のフィルタ層が位置ずれして形成される場合でも、第１、第２反射部Ｒ１，Ｒ２に単層で分割形成される２つの色のフィルタ層のトータル面積の比を所定値とすることができるようになり、反射部で所望の色調を得ることができる。
【００８３】
また、本実施形態のカラーフィルタ２５では、図９に示すように、（Ｒ、Ｇ、Ｂ）画素部から構成される１つのピクセルに対してＲ画素部からＢ画素部までその上側部を第１、第２反射部Ｒ１、Ｒ２の単位領域で水平方向にみると、マゼンタ色（Ｍ）、イエロー色（Ｙ）、シアン色（Ｃ）、イエロー色（Ｙ）、シアン色（Ｃ）、マゼンタ色（Ｍ）の順でフィルタ層が配置されていて、同一色のフィルタ層がお互いに隣接しないようにしていることが分かる。
【００８４】
また、Ｒ画素部からＢ画素部までその下側部を同様にして水平方向にみると、イエロー色（Ｙ）、マゼンタ色（Ｍ）、イエロー色（Ｙ）、シアン色（Ｃ）、マゼンタ色（Ｍ）、シアン色（Ｃ）の順でフィルタ層が配置されており、同一色のフィルタ層がお互いに隣接しないようにしている。
【００８５】
このように、第１実施形態のカラーフィルタ２５では、第１、第２反射部Ｒ１、Ｒ２において、イエロー色（Ｍ）、マゼンタ色（Ｍ）、シアン色（Ｃ）から選択される２つの組み合わせの色のフィルタ層の単層部分がそれぞれ各色の画素部の第１、第２反射部Ｒ１，Ｒ２の所定部に分割されて形成されている。これに加えて、Ｒ、Ｇ、Ｂ画素部からなる１つのピクセルを第１、第２反射部単位で分割してみると、隣接するフィルタ層の色がお互いに異なるようにして配置されている。
【００８６】
本実施形態のカラーフィルタ２５はこのような構成になっているため、このカラーフィルタ２５を後述するような液晶表示装置に適用する場合、反射光を利用して液晶画像を表示させる際に、液晶画像のボケた感じがなくなり、液晶画像が木目細かな繊細な表示になって表示特性を向上させることができるようになる。
【００８７】
なお、上記した形態では、第１、第２反射部Ｒ１、Ｒ２に形成される２つの色のフィルタ層の単層部分がそれぞれ２つの領域に分割して配置された形態を例示したが、３つ以上の領域に分割して配置するようにしてよい。
【００８８】
また、Ｒ、Ｇ、Ｂの各画素部において、上側のフィルタ層と下側のフィルタ層を逆にして形成してもよいし、あるいはフィルタ層の色を逆にしてもよい。
【００８９】
次に、本実施形態のカラーフィルタ２５を備えた半透過型液晶表示装置の一例について説明する。図１０に示すように、本実施形態の液晶表示装置のカラーフィルタ２５を備えた半透過型の液晶表示装置３８は、カラーフィルタ２５を備えた走査電極基材３６と信号電極基材３６ａとが対向して配置され、この２つの電極基材３６，３６ａ間に液晶層３５が封入された基本構造を有している。
【００９０】
走査電極基材３６では、第１のプラスチックフィルム１０の液晶層３５側の面に第１の接着層３０を介してＡｌ膜２８及びポリイミド膜２６から構成される反射層２７が形成されている。この反射層２７におけるポリイミド膜２６の第１のプラスチックフィルム１０側の面には凹凸が形成されていて、この凹凸上にＡｌ膜２８が形成されている。そして、Ａｌ膜２８の各画素部（Ｒ，Ｇ，Ｂ）の透過部に対応する部分に光が透過する開口部（窓）２８ａが形成されている。
【００９１】
反射層２７の上には、本発明の実施形態のカラーフィルタ２５が形成されている。なお、図１０に示されたカラーフィルタ２５は、図９のＩ−Ｉに沿った断面に相当する部分が描かれたものである。このカラーフィルタ２５上に第２の保護層１８を介してＩＴＯ（Ｉｎｄｉｕｍ  Ｔｉｎ  Ｏｘｉｄｅ）膜などからなるストライプ状の第１の透明電極１６が形成されている。第１の透明電極１６上には第１の保護膜１４を介して液晶層３５を配向させる第１の配向膜１５が形成されている。
【００９２】
一方、信号電極基材３６ａでは、第２のプラスチックフィルム１０ａの液晶層３５側の面に第２の接着層３０ａを介して第４の保護膜１８ａが形成され、その上にＩＴＯ膜などからなるストライプ状の第２の透明電極１６ａが形成されている。この第２の透明電極１６ａの上には第３の保護膜１４ａを介して第２の配向膜１５ａが形成されている。
【００９３】
そして、走査電極基材３６と信号電極基材３６ａとが、第１の透明電極１６と第２の透明電極１６ａとが略直交するようにして一定間隔でシール材３９によって貼り合わされ、この２つの電極基材３６，３６ａの間には液晶層３５が封入されている。
【００９４】
さらに、走査電極基材３６では、第１のプラスチック１０の液晶層３５側と反対側の面に第１の位相差フィルム３２が設けられ、その上に第１の偏光フィルム３４が設けられている。また、信号電極基材３６ａの第２のプラスチック１０ａの液晶層３５側と反対側の面に第２の位相差フィルム３２ａが設けられ、その上に第２の偏光フィルム３４ａが設けられている。
【００９５】
また、液晶表示装置３８の背後、すなわち走査電極基材３６側の面上にバックライト部３７が設けられている。バックライト部３７は導光管４３とその端部に配置された光源４１とにより構成されている。光源４１から放出された光が導光管４３内に備えられた拡散反射部材により散乱されて液晶層３５側に放出される。この光源４１として、例えば青色ＬＥＤを白色化したものが用いられる。
【００９６】
本実施形態の液晶表示装置３８では、走査電極基材３６の第１の透明電極１６と信号電極基材３６ａの第２の透明電極１６ａとが交差する領域が画素部となり、赤色（Ｒ）画素部、緑色（Ｇ）画素部及び青色（Ｂ）画素部の３つの画素部（サブピクセル）が表示単位であるピクセルを構成する。
【００９７】
このようにして、本実施形態のカラーフィルタ２５を備えた半透過型の液晶表示装置３８が構成されている。そして、前述したように、透過部Ｔではバックライト部３７から放出された光が反射層２７の開口部２８ａを透過し、また第１、第２反射部Ｒ１，Ｒ２では外光が反射層２７で反射した光が透過することによって液晶画像が表示される。
【００９８】
上記した半透過型の液晶表示装置３８の走査電極基材３６は、剛性を有する基板上に、剥離できる状態で下から順に、第１の保護層１４、透明電極１６、第２の保護層１８、カラーフィルタ２５及び反射層２７を形成して転写層とし、この転写層を第１のプラスチックフィルム１０に接着層３０を介して転写することによって製造される。信号電極基材３６ａにおいても同様な方法で製造される。
【００９９】
なお、本実施形態のカラーフィルタ２５が信号電極基材３６ａの第２の透明電極１６ａと第２の接着層３０ａとの間に設けられている形態としてもよい。
【０１００】
（第２の実施の形態）
図１１は本発明の第２実施形態のカラーフィルタに係るイエロー色（Ｙ）フィルタ層のパターンを示す部分平面図、図１２は同じくマゼンタ色（Ｍ）フィルタ層のパターンを示す部分平面図、図１３は同じくシアン色（Ｃ）フィルタ層のパターンを示す部分平面図、図１４（ａ）は本発明の第２実施形態のカラーフィルタを示す部分平面図、図１４（ｂ）は図１４（ａ）のＩＩ−ＩＩに沿った断面図である。
【０１０１】
第２実施形態は、各フィルタ層が位置ずれして形成されても反射部の色調が変化しないようにした別の形態を例示するものである。
【０１０２】
第２実施形態のカラーフィルタでは、まず、Ｒ画素部及びＧ画素部になる領域に、図１１に示すようなパターンのイエロー色（Ｙ）フィルタ層２０（斜線部）が形成される。このイエロー色（Ｙ）フィルタ層２０のパターンは、Ｒ画素部の第１、第２反射部Ｒ１，Ｒ２のそれぞれの内側所定部を除く外側所定部を被覆すると共に、透過部Ｔ全体を被覆する。これに加えて、Ｇ画素部の第１、第２反射部Ｒ１，Ｒ２のそれぞれの外側所定部を除く内側所定部及び透過部Ｔの領域を被覆する。
【０１０３】
次いで、図１１の構造体のＲ画素部及びＢ画素部に図１２に示すようなパターンのマゼンタ色（Ｍ）フィルタ層２２（斜線部）が形成される。このマゼンタ色（Ｍ）フィルタ層２２のパターンは、Ｒ画素部の第１、第２反射部Ｒ１，Ｒ２のそれぞれの外側所定部を除く内側所定部と透過部Ｔとを被覆すると共に、Ｂ画素部の第１、第２反射部Ｒ１，Ｒ２のそれぞれの内側所定部を除く外側所定部と透過部Ｔとを被覆する。
【０１０４】
このようにして、イエロー色（Ｙ）フィルタ層２０とマゼンタ色（Ｍ）フィルタ層２２とが配置されることで、図１４（ａ）及び（ｂ）に示すカラーフィルタ２５ｂのうちのＲ画素部が形成される。
【０１０５】
続いて、Ｇ画素部及びＢ画素部に、図１３に示すようなパターンのシアン色（Ｃ）フィルタ層２４（斜線部）が形成される。このシアン色（Ｃ）フィルタ層２４は、Ｇ画素部の第１、第２反射部Ｒ１，Ｒ２のそれぞれの内側所定部を除く外側所定部と透過部Ｔとを被覆すると共に、Ｂ画素部の第１、第２反射部Ｒ１，Ｒ２のそれぞれの外側所定部を除く内側所定部と透過部Ｔとを被覆する。
【０１０６】
これにより、図１４（ａ）及び（ｂ）に示すように、Ｇ画素部及びＢ画素部にシアン色（Ｃ）フィルタ層２４が重なって形成されて第２実施形態のカラーフィルタ２５ａが得られる。なお、図１４（ａ）は、図１４（ｂ）のカラーフィルタ２５ａを下側からみた平面図に相当する。
【０１０７】
図１４（ａ）及び（ｂ）に示すように、第２実施形態のカラーフィルタ２５ａのＲ画素部では、イエロー色（Ｙ）フィルタ層２０が透過部Ｔと第１、第２反射部Ｒ１，Ｒ２のそれぞれの内側所定部を除く外側所定部とにストライプ状に形成されている。また、イエロー色（Ｙ）フィルタ層２０の上にはマゼンタ色（Ｍ）フィルタ層２２が透過部Ｔと第１、第２反射部Ｒ１、Ｒ２のそれぞれの内側所定部とを被覆して帯状に形成されている。マゼンタ色（Ｍ）フィルタ層２２は露光装置の最大位置ずれ寸法より大きな寸法で第１、第２反射部Ｒ１、Ｒ２のイエロー色（Ｙ）フィルタ層２０にオーバーラップして配置されている。
【０１０８】
このようにして、Ｒ画素部では、透過部ＴにＹ・Ｍ積層フィルタ２１が形成され、また第１、第２反射部Ｒ１，Ｒ２のそれぞれの外側所定部にイエロー色（Ｙ）フィルタ層２０が分割された状態で単層で形成されている。さらに、第１、第２反射部Ｒ１，Ｒ２のそれぞれの内側所定部にマゼンタ色（Ｍ）フィルタ層が分割された状態で単層で形成されている。つまり、イエロー色（Ｙ）フィルタ層２０及びマゼンタ色（Ｍ）フィルタ層２２の単層部分は透過部Ｔに対して対称な第１、第２反射部Ｒ１，Ｒ２の領域にそれぞれ分割されて配置される。
【０１０９】
Ｒ画素部は、このようにして構成されていて、第１実施形態と同様な原理により、Ｒ画素部全体を赤色（Ｒ）として視認することができる。
【０１１０】
Ｒ画素部では、マゼンタ色（Ｍ）フィルタ層２０が例えば左側に位置ずれして形成される場合、第１反射部Ｒ１の外側所定部に形成されたイエロー色（Ｙ）フィルタ層２０の単層部分の面積が減少するが、逆に、第２反射部Ｒ１の外側所定部に形成されたイエロー色（Ｙ）フィルタ層２０の単層部分の面積が増加する。このため、第１、第２反射部Ｒ１，Ｒ２のそれぞれの外側所定部に形成されたイエロー色（Ｙ）フィルタ層２０の単層部分のトータル面積は位置ずれしない場合と同一となる。
【０１１１】
また、第１、第２反射部Ｒ１，Ｒ２のそれぞれの内側所定部に形成されたマゼンタ色（Ｍ）フィルタ層２２の単層部分のトータル面積は、イエロー色（Ｙ）フィルタ層２０の不形成部により画定されるため左側に位置ずれしても変化しない。
【０１１２】
各フィルタ層２０，２２の位置ずれ方向が斜め上側又は斜め下側であっても、第１、第２反射部Ｒ１，Ｒ２に形成されるイエロー色（Ｙ）フィルタ層２０及びマゼンタ色（Ｍ）フィルタ層２２のそれぞれの単層部分のトータル面積は同様に位置ずれしない場合と同一になる。なお、イエロー色（Ｙ）フィルタ層２０及びマゼンタ色（Ｍ）フィルタ層２２はストライプ状に配置されているため、マゼンタ色（Ｍ）フィルタ層２２が図１４（ａ）の上下方向に位置ずれしてもこれらのフィルタ層２０，２２のそれぞれの単層部分のトータル面積が変化することはない。
【０１１３】
第２実施形態のカラーフィルタ２５ａのＧ画素部では、イエロー色（Ｙ）フィルタ層２０が透過部Ｔと第１、第２反射部Ｒ１，Ｒ２のそれぞれの内側所定部とを被覆して帯状に形成されている。また、シアン色（Ｃ）フィルタ層２４が、第１、第２反射部Ｒ１，Ｒ２のそれぞれの内側所定部を除く外側所定部に分割されて形成されていると共に、イエロー色（Ｙ）フィルタ層２０上の透過部Ｔに対応する部分を被覆している。第１、第２反射部Ｒ１、Ｒ２に形成されたシアン色（Ｃ）フィルタ層２４は、露光装置の最大位置ずれ寸法より大きな寸法でイエロー色（Ｙ）フィルタ層２０にオーバーラップして配置されている
Ｇ画素部において、シアン色（Ｃ）フィルタ層２４が例えば左側に位置ずれする場合、イエロー色（Ｙ）フィルタ層２０の２つの単層部分はシアン色（Ｃ）フィルタ層２４の不形成部で画定されるため、第１、第２反射部Ｒ１，Ｒ２にそれぞれ単層で形成されるイエロー色（Ｙ）フィルタ層２０のトータル面積は位置ずれしない場合と同一となる。
【０１１４】
また、イエロー色（Ｙ）フィルタ層２０が左右に位置ずれして形成された場合であっても、イエロー色（Ｙ）フィルタ層２０及びシアン色（Ｃ）フィルタ層２４のそれぞれの単層部分のトータル面積は変化しない。
【０１１５】
第２実施形態のカラーフィルタ２５ａのＢ画素部では、マゼンタ色（Ｍ）フィルタ層２２が透過部Ｔと、第１、第２反射部Ｒ１，Ｒ２のそれぞれの内側所定部を除く外側所定部とを被覆してストライプ状に形成されている。また、マゼンタ色（Ｍ）フィルタ層２２上には透過部Ｔと第１、第２反射部Ｒ１、Ｒ２のそれぞれの内側所定部とを被覆するシアン色（Ｃ）フィルタ層２４が帯状に形成されている。シアン色（Ｃ）フィルタ層２４は露光装置の最大位置ずれ寸法より大きな寸法で第１、第２反射部Ｒ１、Ｒ２に形成されたマゼンタ色（Ｍ）フィルタ層２２にオーバーラップして配置されている。
【０１１６】
Ｂ画素部においても、シアン色（Ｃ）フィルタ層が例えば左側に位置ずれして形成される場合、Ｒ画素部と同様な理由により、第１、第２反射部Ｒ１，Ｒ２に形成されたマゼンタ色（Ｍ）フィルタ層２２の単層部分のトータル面積は位置ずれしない場合と同一となる。
【０１１７】
第２実施形態のカラーフィルタ２５ａでは、第１実施形態と同様に、各色のフィルタ層が位置ずれして形成される場合であっても、第１、第２反射部Ｒ１、Ｒ２に形成された２つの色のフィルタ層のそれぞれの単層部分のトータル面積の比を所定値とすることができるので、反射部で所望の色調が得られるようになる。
【０１１８】
また、第１実施形態と同様に、第１、第２反射部Ｒ１，Ｒ２に形成される２つの色のフィルタ層の単層部分がそれぞれ異なる部分に分割形成されていると共に、図１４（ａ）に示すように、カラーフィルタ２５ａを第１、第２反射部Ｒ１、Ｒ２の単位領域でみると、隣接するフィルタ層がお互いに異なる色になるようにしている。このため、このような構成のカラーフィルタ２５ａを液晶表示装置に適用する場合、液晶画像のボケた感じがなくなり、液晶画像が木目細かな繊細な表示になって表示特性を向上させることができる。
【０１１９】
以上、第１及び第２実施形態により、本発明の詳細を説明したが、本発明の範囲は上記の実施形態に具体的に示した例に限られるものではなく、この発明を逸脱しない要旨の範囲における上記の実施形態の変更は本発明の範囲に含まれる。
【０１２０】
前述した第１及び第２実施形態は、反射部に２つの色のフィルタ層がそれぞれ複数の異なる領域に分割して形成され、かつフィルタ層が位置ずれして形成された場合でも反射部の２つの色のフィルタ層の間の面積比が変化しないようにした本発明の形態を例示したものであって、前述した形態に限定されるものではない。
【０１２１】
【発明の効果】
以上説明したように、本発明のカラーフィルタの一つの画素部の透過部には、補色（Ｙ，Ｍ，Ｃ）のうちの２色の組み合わせのフィルタが積層され、バックライト部からの光が積層フィルタを透過すると、２つの色が減色混合により、３原色（赤色（Ｒ），緑色（Ｇ），青色（Ｂ））のうちの一色となる。また、反射部には、透過部と同一色の２色の組み合わせのフィルタ層がそれぞれ単層で形成され、外光の反射光が２色のフィルタ層をそれぞれ透過して２つの色の光を放出し、この２つの色が加色混合されて、透過部の光と略同一色となる。
【０１２２】
さらに、反射部において、２つの色の組み合わせのフィルタ層がそれぞれ異なる領域に分割されて形成されていて、しかもこれらフィルタ層が位置ずれして形成される場合でも、２つの色のフィルタ層の間でのトータルの面積比が変化しないようにしている。
【０１２３】
このようにすることにより、カラーフィルタ一の透過部及び反射部の両方において色純度が高く、明るい色が得られる。さらに、反射部に形成された２つの色の単層フィルタ層の面積比を制御することで所望の色調を容易に得ることができるようになる。
【図面の簡単な説明】
【図１】図１（ａ）は本発明の第１実施形態に係るカラーフィルタにおけるＲ画素部のイエロー色（Ｙ）フィルタ層の配置を示す部分平面図、図１（ｂ）は本発明の第１実施形態に係るカラーフィルタにおけるＲ画素部のマゼンタ色（Ｍ）フィルタ層の配置を示す部分平面図である。
【図２】図２は本発明の第１実施形態のカラーフィルタにおけるＲ画素部を示す部分平面図である。
【図３】図３は図２に示すＲ画素部のマゼンタ色（Ｍ）フィルタ層が左側に位置ずれして形成された様子を示す部分平面図である。
【図４】図４は図２に示すＲ画素部のマゼンタ色（Ｍ）フィルタ層が上側に位置ずれして形成された様子を示す部分平面図である。
【図５】図５は本発明の第１実施形態のカラーフィルタに係るイエロー色（Ｙ）フィルタ層のパターンを示す部分平面図である。
【図６】図６は本発明の第１実施形態のカラーフィルタに係るマゼンタ色（Ｍ）フィルタ層のパターンを示す部分平面図である。
【図７】図７は本発明の第１実施形態のカラーフィルタに係るイエロー色（Ｙ）フィルタ層とマゼンタ色（Ｍ）フィルタ層とが形成された様子を示す部分平面図である。
【図８】図８は本発明の第１実施形態のカラーフィルタに係るシアン色（Ｃ）フィルタ層のパターンを示す部分平面図である。
【図９】図９は本発明の第１実施形態のカラーフィルタを示す部分平面図である。
【図１０】図１０は本発明の第１実施形態のカラーフィルタを備えた半透過型液晶表示装置を示す部分断面図である。
【図１１】図１１は本発明の第２実施形態のカラーフィルタに係るイエロー色（Ｙ）フィルタ層のパターンを示す部分平面図である。
【図１２】図１２は本発明の第２実施形態のカラーフィルタに係るマゼンタ色（Ｍ）フィルタ層のパターンを示す部分平面図である。
【図１３】図１３は本発明の第２実施形態のカラーフィルタに係るシアン色（Ｃ）フィルタ層のパターンを示す部分平面図である。
【図１４】図１４（ａ）は本発明の第２実施形態のカラーフィルタを示す部分平面図、図１４（ｂ）は図１４（ａ）のＩＩ−ＩＩに沿った断面図である。
【図１５】図１５（ａ）は従来技術に係るカラーフィルタにおいて位置ずれしないで形成される場合のＲ画素部を示す部分断面図、図１５（ｂ）は従来技術に係るカラーフィルタにおいてマゼンタ色（Ｍ）フィルタ層が位置ずれして形成される場合のＲ画素部を示す部分断面図である。
【符号の説明】
１０…第１のプラスチックフィルム、１０ａ…第２のプラスチックフィルム、１４…第１の保護層、１４ａ…第３の保護層、１５…第１の配向膜、１５ａ…第２の配向膜、１６…第１の透明電極、１６ａ…第２の透明電極、１８…第２の保護層、１８ａ…第４の保護層、１９…遮光層、２０…イエロー色（Ｙ）フィルタ層、２１…Ｙ・Ｍ積層フィルタ、２２…マゼンタ色（Ｍ）フィルタ層、２３…Ｙ・Ｃ積層フィルタ、２４…シアン色（Ｃ）フィルタ層、２５，２５ａ…カラーフィルタ、２６…ポリイミド膜、２７…反射層、２８…Ａｌ膜、２９…Ｍ・Ｃ積層フィルタ、３０…第１の接着層、３０ａ…第２の接着層、３２…第１の位相差フィルム、３２ａ…第２の位相差フィルム、３１…転写層、３４…第１の偏光フィルム、３４ａ…第２の偏光フィルム、３６…走査電極基材、３６ａ…信号電極基材、３７…バックライト部、３８…半透過型の液晶表示装置、４１…光源、４３…導光管。
【図１】
2004151299.tif 000003
【図２】
2004151299.tif 000004
【図３】
2004151299.tif 000005
【図４】
2004151299.tif 000006
【図５】
2004151299.tif 000007
【図６】
2004151299.tif 000008
【図７】
2004151299.tif 000009
【図８】
2004151299.tif 000010
【図９】
2004151299.tif 000011
【図１０】
2004151299.tif 000012
【図１１】
2004151299.tif 000013
【図１２】
2004151299.tif 000014
【図１３】
2004151299.tif 000015
【図１４】
2004151299.tif 000016
【図１５】
2004151299.tif 000017